(57)【要約】【課題】コイラの上側に設けられたドラフト部のメインテナンス作業を楽な姿勢で行う。【解決手段】ドラフト部１７とコイラ２９を備えた紡機であって、コイラ２９の下方に設けられたケンス配置部Ｐ１に隣接して予備ケンス配置部Ｐ２が設けられている。ケンス配置部Ｐ１及び予備ケンス配置部Ｐ２は、ケンス４０及び予備ケンス４１の出入口を有するケンス収容部１６によって覆われている。ケンス収容部１６の予備ケンス配置部Ｐ２と対向する天板１９に、作業用開口２２及び作業用開口２２を閉鎖する蓋部２３が設けられている。【選択図】図１
2015168899.tif 000002
【特許請求の範囲】
【請求項１】
ドラフト部とコイラを備えた紡機であって、前記コイラの下方に設けられたケンス配置部に隣接して予備ケンス配置部が設けられ、前記ケンス配置部及び前記予備ケンス配置部は、ケンス及び予備ケンスの出入口を有するケンス収容部によって覆われており、前記ケンス収容部の前記予備ケンス配置部と対向する天板に、作業用開口及び前記作業用開口を閉鎖する蓋部が設けられていることを特徴とする紡機。
【請求項２】
前記蓋部はヒンジに支持された扉である請求項１に記載の紡機。
【請求項３】
前記ケンス収容部は、前記ケンス内にスライバが収容されていない状態において、前記ケンス内にコイルばねで昇降可能に支持されたスライバ受け部材と当接可能なケンス上部押さえ板を備え、前記ケンス上部押さえ板は、前記作業用開口に対応した箇所が切除されている請求項１又は請求項２に記載の紡機。
【発明の詳細な説明】
【技術分野】
【０００１】
本発明は、例えば、コーマや練条機のようにドラフト部とコイラを備えた紡機に関する。
【背景技術】
【０００２】
コーマは、複数個のコーミングヘッドでそれぞれ梳られた（コーミングされた）フリースから作られたスライバを複数本束ねてドラフトした後、コイラ装置によりケンス内に収納する。そして、ケンスにスライバが所定量収容されて満ケンスになると、コーマの運転を停止し、満ケンスを空ケンスに交換した後、コーマの運転を再開する。コーマとして、コイラ装置のコイラから供給されるスライバが収容されるケンスの他に、予備のケンスを配置する予備ケンス用スペースが設けられたものがある（例えば、特許文献１参照）。
【０００３】
予備ケンス用スペースは、スライバ受入中のケンスにスライバが所定量収容されて満ケンスになると、コーマの運転を停止した状態で、満ケンスと空ケンス（予備ケンス）との交換が円滑に実施できるように、スライバ受入中のケンスが配置されるケンス配置部の近くに設けられている。また、ケンスが満ケンスになるまでの時間は２時間程度であり、待機中の予備ケンス上に風綿が堆積するのを防止するため、予備ケンス用スペースは、スライバ受入中のケンスと共に、ケンスの出入口を有するケンス収容部によって覆われている。また、コイラの上側にはコイラへ導かれるスライバをドラフトするドラフト部が設けられており、ドラフト部はローラ等の軸がスライバ受入中のケンスと予備ケンスの配列方向と平行に設けられている。
【０００４】
また、コーマに限らず、前記と同様な構成の予備ケンス用スペースを、スライバ受入中のケンスと共に覆い、かつケンスの出入口を有するケンス収容部を備えた練条機もある。
【先行技術文献】
【特許文献】
【０００５】
【特許文献１】特開２０１２−２５４８４８号公報
【発明の概要】
【発明が解決しようとする課題】
【０００６】
ドラフト部のローラ等の軸がスライバ受入中のケンス及び予備ケンスの配列方向と平行に設けられている構成で、ドラフト部がコイラの上にある場合は、ドラフト部を構成するタイミングベルト等のメインテナンスが必要な機構がドラフト部の軸方向の両側に存在する。そのため、従来は、予備ケンス配置部の上側からメインテナンスを行う場合、予備ケンス配置部を覆うケンス収容部上に作業者が乗るか、脚立に乗って前かがみになって作業を行う必要があった。しかし、このような姿勢で作業を行うのは、作業が行い難いという問題がある。
【０００７】
本発明は前記の問題に鑑みてなされたものであって、その目的はコイラの上側に設けられたドラフト部のメインテナンス作業を楽な姿勢で行うことができる紡機を提供することにある。
【課題を解決するための手段】
【０００８】
上記課題を解決する紡機は、ドラフト部とコイラを備えた紡機であって、前記コイラの下方に設けられたケンス配置部に隣接して予備ケンス配置部が設けられ、前記ケンス配置部及び前記予備ケンス配置部は、ケンス及び予備ケンスの出入口を有するケンス収容部によって覆われており、前記ケンス収容部の前記予備ケンス配置部と対向する天板に、作業用開口及び前記作業用開口を閉鎖する蓋部が設けられている。
【０００９】
この構成によれば、ケンス配置部及び予備ケンス配置部を覆うケンス収容部の天板には、予備ケンス配置部と対向する位置に作業用開口が設けられるとともに、作業用開口を閉鎖する蓋部が設けられている。そのため、作業用開口が蓋部で閉鎖された状態では、ケンス収容部は従来と同様に機能し、待機中の予備ケンス上に風綿が堆積することが防止される。また、作業用開口を覆う蓋部を開放し、予備ケンスをケンス収容部の外に出した状態では、コイラの上側に設けられたドラフト部のメインテナンス作業を、作業者がケンス収容部内に入り、予備ケンス配置部上に立って、作業用開口から肩や腕部をケンス収容部の外に出した状態で行うことができる。したがって、コイラの上側に設けられたドラフト部のメインテナンス作業を楽な姿勢で行うことができる。
【００１０】
前記蓋部はヒンジに支持された扉であることが好ましい。作業用開口を覆う蓋部は、例えば、天板に沿ってスライド可能に設けたり、ねじで天板に固定したりしてもよい。しかし、スライド可能に設ける場合は、蓋部をスライドさせるスペースが必要になりケンス収容部が大型化するとともに、蓋部をスライドさせる際に風綿を噛み込む虞がある。また、ねじで固定すると、蓋部を開ける際にねじを取り外す作業が必要になるとともに、取り外したねじを紛失する虞がある。しかし、蓋部がヒンジに支持された扉であれば、そのような虞がない。
【００１１】
前記ケンス収容部は、前記ケンス内にスライバが収容されていない状態において、前記ケンス内にコイルばねで昇降可能に支持されたスライバ受け部材と当接可能なケンス上部押さえ板を備え、前記ケンス上部押さえ板は、前記作業用開口に対応した箇所が切除されていることが好ましい。ケンスとしては、ケンス内にコイルばねで昇降可能に支持されたスライバ受け部材を備えたものが一般的であり、スライバ受け部材は、ケンスが空の状態では、コイルばねの作用によってケンスの上端より上に出た状態となる。スライバ受け部材がケンスの上端より出た状態で、予備ケンスを予備ケンス配置部からコイラの下方のケンス配置部に移動させると、スライバ受け部材がコイラと当たる虞があるため、ケンス収容部として、スライバ受け部材と当接可能なケンス上部押さえ板を、ケンス配置部の上方から予備ケンス配置部の上方に跨る状態で備えている場合がある。この発明では、ケンス上部押さえ板が存在しても、作業用開口に対応した箇所が切除されているため、蓋部を開けた状態において、作業者は作業用開口から肩や腕部をケンス収容部の外に出した状態で支障なく作業を行うことができる。
【発明の効果】
【００１２】
本発明によれば、コイラの上側に設けられたドラフト部のメインテナンス作業を楽な姿勢で行うことができる。
【図面の簡単な説明】
【００１３】
【図１】（ａ）はコーマの概略部分平面図、（ｂ）は概略部分正面図。
【図２】コーマの概略部分斜視図。
【図３】ケンスの断面図。
【図４】蓋部の支持機構を示す側面図。
【図５】蓋部が中間位置に配置された状態の側面図。
【図６】蓋部が全開位置に配置された状態の側面図。
【図７】ドラフト部のカバー及び蓋部が全開位置に配置された状態の概略斜視図。
【発明を実施するための形態】
【００１４】
以下、本発明をコーマに具体化した一実施形態を図１〜図７にしたがって説明する。
図１（ａ），（ｂ）に示すように、紡機としてのコーマは、複数（一般には８個又は６個）のコーミングヘッド１１が平行に配設されている。各コーミングヘッド１１は、ラップＬを図示しないコーミング部でコーミングした後、フリースＦとしてテーブル１２上に送り出す。テーブル１２上に送り出されたフリースＦは、テーブル１２で集束された後、カレンダローラ１３で圧縮されてスライバＳとなり、スライバガイド１４によりその移動方向が変更されて、スライバテーブル１５上をその長手方向（図１（ａ），（ｂ）の左右方向）に沿って移動する。
【００１５】
複数本のスライバＳを案内するスライバテーブル１５の下流側には、ケンス４０及び予備ケンス４１をコーマの機台長手方向と直交する方向に並んだ状態で収容するケンス収容部１６が設けられている。
【００１６】
図１（ｂ）に示すように、ケンス収容部１６の上方にはドラフト部１７が設けられ、ドラフト部１７の上流側には複数本のスライバＳをスライバテーブル１５上からドラフト部１７に移送するベルトコンベア１８が設けられている。ドラフト部１７の下流にはコイラ装置２５が設けられている。コイラ装置２５は、ギャザラー２６、コイラトランペット２７、一対のコイラカレンダローラ２８及びコイラ（チューブホイール）２９を備えている。コイラ装置２５は、ドラフト部１７の前端から下方に向かって進行するとともにギャザラー２６及びコイラトランペット２７を経てコイラカレンダローラ２８で圧縮された後のスライバＳを、コイラ２９を用いてケンス４０内に収納する。ケンス収容部１６の上側には、ドラフト部１７、コイラ装置２５、ベルトコンベア１８の一部を覆うカバー３０が開閉可能に設けられている。
【００１７】
スライバ受入用のケンス４０が配置されるケンス配置部Ｐ１はコイラ２９の下方に設けられている。ケンス配置部Ｐ１に隣接して予備ケンス配置部Ｐ２が設けられている。ケンス収容部１６は、スライバテーブル１５と対応する側と反対側に、ケンス４０及び予備ケンス４１の出入口１６ａ（図２に図示）を有する。
【００１８】
ケンス４０及び予備ケンス４１は同じ構成であり、ケンス配置部Ｐ１に配置されてスライバ受入中のケンス４０が満ケンスになるまで、予備ケンス配置部Ｐ２に配置されてケンス交換まで待機する空のケンス４０が予備ケンス４１となる。
【００１９】
図３に示すように、ケンス４０には、スライバ受け部材４２がコイルばね４３で昇降可能に支持されている。スライバ受け部材４２は、その上にスライバＳが載置されていない自由状態では、スライバ受け部材４２の上部がケンス４０の上端より上に突出した状態となる。スライバ受け部材４２は、その上面に供給されるスライバＳの量に対応して、コイルばね４３のばね力に抗して次第に下降される。
【００２０】
図４〜図６に示すように、ケンス収容部１６には、天板１９の下方にケンス上部押さえ板２０が設けられている。ケンス上部押さえ板２０は、スライバ受入前のケンス４０あるいは予備ケンス４１の上端より突出しているスライバ受け部材４２に当接して、スライバ受け部材４２をコイラ２９と接触不能な高さに配置する役割を果たす。ケンス上部押さえ板２０は、天板１９から垂下された支持板２１に支持されている。
【００２１】
図１（ａ）、図２及び図５に示すように、ケンス収容部１６の予備ケンス配置部Ｐ２と対向する天板１９に、作業用開口２２及び作業用開口２２を閉鎖する蓋部２３が設けられている。作業用開口２２は、作業者がケンス収容部１６内に入った状態で作業用開口２２から肩や腕部をケンス収容部１６の外に楽に出すことが可能な大きさに形成されている。この実施形態では、作業用開口２２は矩形状に形成されている。また、図４、図５及び図６に示すように、ケンス上部押さえ板２０は、作業用開口２２に対応した箇所が切除されて、開口２０ａが形成されている。
【００２２】
蓋部２３は、ヒンジ２４に支持された扉として設けられている。蓋部２３の上面には取っ手２３ａが固定され、蓋部２３は取っ手２３ａを持って上方へ開放可能に構成されている。ヒンジ２４は、蓋部２３の開放状態において、蓋部２３がドラフト部１７と反対側で起立状態となるように設けられている。
【００２３】
図４、図５及び図６に示すように、蓋部２３とケンス収容部１６の作業用開口２２の周縁部との間には、蓋部２３を閉鎖位置（図４の状態）と全開位置（図６の状態）とに安定した状態で保持可能な保持機構３１が設けられている。保持機構３１は、蓋部２３の基端寄り裏面の片側に固定されたブラケット３２と、ブラケット３２に固定された軸３３に対して一端側において回動可能に支持された弧状の移動部材３４を備えている。
【００２４】
移動部材３４には円弧状の長孔３４ａが形成されている。長孔３４ａは、移動部材３４の中央より一端側寄りから他端まで延びるように形成されている。支持板２１にはガイド軸３５が設けられ、ガイド軸３５は長孔３４ａと係合して蓋部２３が安定した状態で開閉動作するように移動部材３４をガイドする。ガイド軸３５は、蓋部２３が閉鎖位置に配置された状態で移動部材３４のほぼ中央に位置するように設けられている。長孔３４ａの他端には、蓋部２３の全開位置を規制する規制部３６が長孔３４ａに連続し、かつ長孔３４ａの上側に位置するように形成されている。そして、蓋部２３が天板１９とほぼ９０度の角度をなす位置に回動された状態で、図６に示すように、ガイド軸３５が規制部３６と係合して蓋部２３をその状態に保持するようになっている。
【００２５】
次に前記のように構成されたコーマの作用を説明する。
コーマが駆動されると、複数個のコーミングヘッド１１でラップＬがコーミングされてフリースＦとなり、テーブル１２で集束された後、カレンダローラ１３で圧縮されてスライバＳとなる。各スライバＳは、スライバガイド１４によりその移動方向が変更されて、スライバテーブル１５上をその長手方向に沿って移動する。そして、複数本のスライバＳは、スライバテーブル１５上からベルトコンベア１８を経てドラフト部１７に移送され、ドラフト部１７でドラフトされた後、コイラ装置２５に送られる。複数本のスライバＳは、コイラ装置２５のギャザラー２６及びコイラトランペット２７を経て１本のスライバＳに束ねられ、コイラカレンダローラ２８で圧縮された後、コイラ２９を用いてケンス４０内に収納される。
【００２６】
ケンス４０が満ケンスになるとコーマの駆動が停止され、ケンス４０がケンス収容部１６の出入口１６ａから取り出される。そして、予備ケンス配置部Ｐ２に配置されていた予備ケンス４１がケンス配置部Ｐ１に移動された後、コーマの駆動が開始される。
【００２７】
ドラフト部１７のメインテナンス作業を行う場合、図７に示すように、ドラフト部１７を覆うカバー３０を開放した状態で、ドラフト部１７の側部（軸方向側）から作業者が作業を行う。メインテナンス作業の際、作業箇所によっては、図７の左側、即ち、ケンス収容部１６の予備ケンス配置部Ｐ２側から作業を行う必要がある。
【００２８】
従来は、ケンス収容部１６の天板１９に作業用開口２２が設けられていなかった。そのため、予備ケンス配置部Ｐ２の上側からメインテナンスを行う場合、予備ケンス配置部Ｐ２を覆うケンス収容部１６上に作業者が乗るか、脚立に乗って前かがみになって作業を行う必要があり、作業が行い難かった。しかし、この実施形態では、ケンス収容部１６の天板１９に作業用開口２２が設けられるとともに、作業用開口２２を閉鎖する蓋部２３が設けられている。そのため、作業用開口２２が蓋部２３で閉鎖された状態では、ケンス収容部１６は従来と同様に機能し、待機中の予備ケンス４１上に風綿が堆積することが防止される。また、作業用開口２２を覆う蓋部２３を開放し、予備ケンス４１をケンス収容部１６の外に出した状態では、作業者がケンス収容部１６内に入り、予備ケンス配置部Ｐ２上に立って、作業用開口２２から肩や腕部をケンス収容部１６の外に出すことが可能になる。したがって、作業者は、コイラ２９の上側に設けられたドラフト部１７のメインテナンス作業、例えば、タイミングベルト駆動部のメインテナンス作業を、作業用開口２２から肩や腕部をケンス収容部１６の外に出した状態で行うことができる。
【００２９】
この実施形態によれば、以下に示す効果を得ることができる。
（１）コーマは、コイラ２９の下方に設けられたケンス配置部Ｐ１に隣接して予備ケンス配置部Ｐ２が設けられ、ケンス配置部Ｐ１及び予備ケンス配置部Ｐ２は、ケンス４０及び予備ケンス４１の出入口１６ａを有するケンス収容部１６によって覆われている。ケンス収容部１６の予備ケンス配置部Ｐ２と対向する天板１９に、作業用開口２２及び作業用開口２２を閉鎖する蓋部２３が設けられている。したがって、作業用開口２２が蓋部２３で閉鎖された状態では、ケンス収容部１６は従来と同様に機能し、待機中の予備ケンス４１上に風綿が堆積することが防止される。また、蓋部２３を開放し、作業者がケンス収容部１６内に入り、作業用開口２２から肩や腕部をケンス収容部１６の外に出した状態で、コイラ２９の上側に設けられたドラフト部１７のメインテナンス作業、例えば、タイミングベルト駆動部のメインテナンス作業を楽な姿勢で行うことができる。
【００３０】
（２）蓋部２３はヒンジ２４に支持された扉である。作業用開口２２を覆う蓋部２３は、例えば、天板１９に沿ってスライド可能に設けたり、ねじで天板１９に固定したりしてもよい。しかし、スライド可能に設ける場合は、蓋部２３をスライドさせるスペースが必要になりケンス収容部１６が大型化するとともに、蓋部２３をスライドさせる際に風綿を噛み込む虞がある。また、ねじで固定すると、蓋部２３を開ける際にねじを取り外す作業が必要になるとともに、取り外したねじを紛失する虞がある。しかし、蓋部２３がヒンジ２４に支持された扉であれば、そのような虞がない。
【００３１】
（３）ケンス収容部１６は、ケンス４０内にスライバＳが収容されていない状態において、ケンス４０内にコイルばね４３で昇降可能に支持されたスライバ受け部材４２と当接可能なケンス上部押さえ板２０を備え、ケンス上部押さえ板２０は、作業用開口２２に対応した箇所が切除されている。ケンス４０としては、ケンス４０内にコイルばね４３で昇降可能に支持されたスライバ受け部材４２を備えたものが一般的であり、スライバ受け部材４２は、ケンス４０が空の状態では、コイルばね４３の作用によってケンス４０の上端より上に出た状態となる。スライバ受け部材４２がケンス４０の上端より出た状態で、予備ケンス４１を予備ケンス配置部Ｐ２からコイラ２９の下方のケンス配置部Ｐ１に移動させると、スライバ受け部材４２がコイラ２９と当たる虞がある。そこで、ケンス収容部１６として、スライバ受け部材４２と当接可能なケンス上部押さえ板２０を、ケンス配置部Ｐ１の上方から予備ケンス配置部Ｐ２の上方に跨る状態で備えている。しかし、ケンス上部押さえ板２０が存在しても、作業用開口２２に対応した箇所が切除されているため、蓋部２３を開けた状態において、作業者は作業用開口２２から肩や腕部をケンス収容部１６の外に出した状態で支障なく作業を行うことができる。
【００３２】
実施形態は前記に限定されるものではなく、例えば、次のように具体化してもよい。
○  蓋部２３が天板１９にヒンジ２４で支持された扉の場合、扉が上側ではなく下側に開く構成であってもよい。
【００３３】
○  蓋部２３は、ケンス収容部１６の天板１９にヒンジ２４で支持された扉に限らず、スライドドアであってもよい。
○  蓋部２３を取り外し可能とし、作業用開口２２を閉鎖する場合に蓋部２３をケンス収容部１６の天板１９にねじ止めする構成としてもよい。
【００３４】
○  蓋部２３は１個に限らず、両開き扉であってもよい。
○  作業用開口２２は、作業者が作業用開口２２から肩や腕部をケンス収容部１６の外に出した状態で支障なく作業を行うことが可能な形状と大きさであればよく、形状は矩形に限らず、例えば、円形や楕円形であってもよい。
【００３５】
○  コーマに限らず、ドラフト部とコイラを備えた他の紡機、例えば、練条機であってもよい。
【符号の説明】
【００３６】
Ｓ…スライバ、Ｐ１…ケンス配置部、Ｐ２…予備ケンス配置部、１６…ケンス収容部、１６ａ…出入口、１７…ドラフト部、１９…天板、２０…ケンス上部押さえ板、２２…作業用開口、２３…蓋部、２４…ヒンジ、２９…コイラ、４０…ケンス、４１…予備ケンス、４２…スライバ受け部材、４３…コイルばね。
【図１】
2015168899.tif 000003
【図２】
2015168899.tif 000004
【図３】
2015168899.tif 000005
【図４】
2015168899.tif 000006
【図５】
2015168899.tif 000007
【図６】
2015168899.tif 000008
【図７】
2015168899.tif 000009